(57)【特許請求の範囲】
【請求項１】
サーバが提供する情報を携帯端末のメモリ媒体に書き込む携帯端末メモリ用データ書込装置であって、
ユーザの出先に設置されて前記サーバと前記携帯端末との間での情報の遣り取りを仲介し、前記携帯電話に必要な使用データを、前記携帯電話のメモリ媒体に書き込むデータ読み書き手段と、
前記データ読み書き手段が前記メモリ媒体から読み出した前記携帯端末のユーザ固有の識別データと、予め登録されたユーザ登録データとを照合し、データが一致した場合にのみ書込み指令を前記データ読み書き手段に出力するデータ照合手段と、
ユーザ毎のポータルサイトの構成を示すポータルサイト情報と、ユーザが編集したポータルサイトの情報をユーザ毎に記憶し、前記情報を前記データ読み書き手段に提供するユーザ別ポータルサイト情報記憶部と、
前記使用データの内容を特定する書込データ特定情報を入力するための入力手段と、
前記入力手段から入力される、ユーザが要求する前記書込データ特定情報を受け付ける書込データ特定情報受付手段とを含み、
前記データ読み書き手段は、前記書込み指令に基づいて、前記ユーザ別ポータルサイト情報手段が提供する情報のうち前記書込データ特定情報に対応する情報を前記使用データとして前記メモリ媒体に書き込むものであることを特徴とする携帯端末メモリ用データ書込装置。
【請求項２】
前記ユーザ固有の識別データは、ユーザ登録した携帯電話に対してユーザ毎に割り当てられる識別データであり、
前記データ照合手段は、前記メモリ媒体から読み出された前記識別データと、携帯電話の通信キャリアが保有するユーザ登録データとを照合することを特徴とする請求項１に記載の携帯端末メモリ用データ書込装置。
【請求項３】
前記携帯電話はＧＳＭ方式の携帯電話であり、メモリ媒体としてのＳＩＭカードを着脱自在に有することを特徴とする請求項２に記載の携帯端末メモリ用データ書込装置。
【請求項４】
前記メモリ媒体は、前記携帯端末から取外されて前記データ読み書き手段に差し込まれる接触型媒体と、前記携帯端末に備え付けられてデータの読み込み及び書き込みが非接触にて行われる非接触型媒体とを併用したものであり、
前記データ読み書き手段は、前記接触型メモリ媒体に接触して、前記メモリ媒体に対してデータの読み込み及び書込み処理を行う機能と、前記読み込み及び書込み処理するデータを前記非接触型メモリ媒体に複写する機能を有することを請求項１に記載の携帯端末メモリ用データ書込装置。
【請求項５】
サーバが提供する情報を携帯端末のメモリ媒体に書き込む携帯端末メモリ用データ書込方法であって、
データ読み書き手段をユーザの出先に設置し、前記データ読み書き手段を用いて前記サーバと前記携帯端末との間での情報の遣り取りを仲介し、
データ照合手段を用いて、前記データ読み書き手段が前記携帯端末から読み出した前記携帯端末のユーザ固有の識別データと、予め登録されたユーザ登録データとを照合して、データが一致した場合にのみ書込み指令を前記データ読み書き手段に出力し、
入力手段を用いて、前記使用データの内容を特定する書込データ特定情報を入力し、書込データ特定情報受付手段を用いて、前記入力手段から入力される、ユーザが要求する前記書込データ特定情報を受け付け、
ユーザ別ポータルサイト情報記憶部を用いて、ユーザ毎のポータルサイトの構成を示すポータルサイト情報と、ユーザが編集したポータルサイトの情報をユーザ毎に記憶し、前記情報を前記データ読み書き手段に提供し、
前記データ読み書き手段を用いて、前記書込み指令に基づいて、前記ユーザ別ポータルサイト情報記憶部が提供する情報のうち前記書込データ特定情報に対応する情報を前記使用データとして前記メモリ媒体に書き込むことを特徴とする携帯端末メモリ用データ書込方法。
【請求項６】
サーバが提供する情報を携帯端末に書き込む制御を行う携帯端末メモリ用データ書込プログラムであって、
コンピュータに、
携帯端末のメモリ媒体から読み出した前記携帯端末のユーザ固有の識別データと、予め登録されたユーザ登録データとを照合して、データが一致した場合にのみ書込み指令を出力する機能と、
前記使用データの内容を特定する書込データ特定情報を入力し、書込データ特定情報受付手段を用いて、前記入力手段から入力される、ユーザが要求する前記書込データ特定情報を受け付ける機能と、
ユーザ別ポータルサイト情報記憶部を用いて、ユーザ毎のポータルサイトの構成を示すポータルサイト情報と、ユーザが編集したポータルサイトの情報をユーザ毎に記憶し、前記情報を前記データ読み書き手段に提供する機能と、
前記データ読み書き手段を用いて、前記書込み指令に基づいて、前記ユーザ別ポータルサイトが提供する情報のうち前記書込データ特定情報に対応する情報を前記使用データとして前記メモリ媒体に書き込む指令を出力する機能とを実行させることを特徴とする携帯端末メモリ用データ書込みプログラム。
【発明の詳細な説明】
【技術分野】
【０００１】
本発明は、携帯端末メモリ用データ書込装置にかかり、特に、携帯電話が作動する際に用いられる使用データを、携帯端末を操作することなくメモリ媒体に書き込むことが可能な携帯端末メモリ用データ書込装置、及び方法、プログラムに関する。
【背景技術】
【０００２】
近年、携帯端末の用途は多様になっており、例えば、携帯電話では、インターネット接続を行いウェブサイトを閲覧すること、携帯電話を用いたキャッシング、電子チケットなど、種々の用途が可能になってきている。このとき、かかるサービスを提供する側は、携帯端末に記憶されている携帯電話を使用するユーザ固有の識別データなどを認証することを行っており、これにより、他人による不正利用を抑制している。【０００３】
特に、ＧＳＭ形式の携帯電話では、ユーザ固有の識別データが記憶されたＳＩＭカードを装着しているため、かかるカード内にユーザを特定して処理するデータ（通話料データなど）を記憶させることで、かかるデータは常に識別データと共に記憶されているため、その読み出し処理などが容易になり、かつ、セキュリティが保たれやすい。【０００４】
【特許文献１】特開２００３−１４１１５４号公報
【特許文献２】特開２００３−３４５８２７号公報
【発明の開示】
【発明が解決しようとする課題】
【０００５】
ここで、ＳＩＭカードなどの識別データが記憶されている携帯電話のメモリ媒体に、当該識別データと協働して使用されるデータを記憶するためには、カードライタを用いてオペレータが記録作業を行うか、あるいは、ユーザ自身が行う、ということが考えられる。さらには、携帯端末の通信機能を用いて、ネットワーク上の他のサーバから取得したデータを記憶させることも考えられる。【０００６】
しかしながら、ＳＩＭカードなどは重要なデータが記憶されているにもかかわらず、携帯電話の通信キャリアにてオペレータがその記憶領域を操作することとなると、そのカード内のデータが不必要に改ざんされたり、複製されるなどの問題が生じる。特に、ＳＩＭカードは、そのユーザの契約情報が記憶されているものであるから、これがたちまち複製されると、他人が利用することができ、その通話料などの請求が複製されたユーザのみにかかってしまい、多大な損害を被る。【０００７】
一方で、自己の責任にてユーザ自身がＳＩＭカード内にデータの書き込みを行ってもよく、これにより種々のデータを記憶させることができるが、ＳＩＭカード内のデータ構成について知識がないと、誤って重要なデータを削除、変更してしまうという事態も生じうる、という問題がある。また、そのような書き換えをユーザ自身が行うには、携帯端末の操作同様に、操作が困難であるという問題が生じる。【０００８】
さらに、携帯電話の通信機能を用いてネットワーク上の他のサーバから取得したデータを記憶させるという場合には、表示画面の小さい表示部を介して、かつ、携帯電話のキー数が限られ当該キーの大きさが小さい操作部にて操作しなければならないため、操作が困難である、という問題が生じる。【０００９】
例えば、携帯電話の作動時に必要とされるデータとしては、通信料データや、ユーザがカスタマイズしたポータルサイトのＵＲＬデータが考えられる。具体的には、前者の場合、例えば、プリペイド方式携帯電話では、ある通信料に相当するカードを購入し、カードに記載された暗号を所定のダイヤル先に接続した状態で入力することにより、通信料の登録が完了する。そして、携帯電話内のＳＩＭカードに通信料データが記憶され、通信する毎に減っていく、という構成となっている。【００１０】
また、後者のユーザ独自のポータルサイトを構成するという手法について、上記特許文献１乃至２に開示されている。これらは、いずれもポータルタイトを個人用にカスタマイズ可能な装置であって、ユーザ自身が頻繁にアクセスするサイトへのリンクのみを表示するポータルサイトを構築して、常にかかるサイトにアクセス、あるいは、そのようなサイト画面を表示することにより、容易にユーザが目的のサイトにアクセスすることが可能となる。【００１１】
しかしながら、上記通信料及びＵＲＬのケース共に、その準備段階として、携帯電話を操作しなければならず、依然として上記同様の問題が生じる。特に、携帯電話を購入したばかりのユーザにとってはポータルサイトをカスタマイズするという操作は困難であり、結局のところ予め用意されている通信キャリアや端末メーカのポータルサイトにアクセスすることとなり、上述した問題は解消されていない。【００１２】
本発明では、上記従来例の有する不都合を改善し、特に、識別データが記憶されたメモリ媒体に対して読み書きを行う際のセキュリティを確保しつつ、当該識別データが記憶されたメモリ媒体に、ユーザの識別データと協働する携帯端末の作動時に必要なデータを容易に記憶することができるシステム、を提供することをその目的とする。
【課題を解決するための手段】
【００１３】
前記目的を達成するため、本発明に係る携帯端末メモリ用データ書込装置は、
携帯端末のメモリ媒体に記憶されたデータを読み出す機能と、前記携帯端末に必要な使用データを前記メモリ媒体に書き込む機能とを有するデータ読み書き手段と、
前記データ読み書き手段が前記メモリ媒体から読み出した前記携帯端末のユーザ固有の識別データと、予め登録されたユーザ登録データとを照合し、データが一致した場合にのみ書込み指令を前記データ読み書き手段に出力するデータ照合手段とを含み、
前記データ読み書き手段は、前記書込み指令の入力を条件として前記メモリ媒体に前記使用データを書き込むことを特徴とするものである。【００１４】
このような構成を採ることにより、携帯端末のメモリ媒体に、ユーザ固有の識別データが記憶されているか否かが認証され、一致している場合のみ携帯端末が所定の動作を行う際に必要なデータの書き込みを行う。従って、メモリ媒体には、識別データと協働して作動する際に必要なデータが確実に記憶されるため、その後、記録されたデータを用いてユーザ固有のサービスを確実に受けることができる。また、他人にメモリ媒体内のデータを操作させて記憶させる必要も無く、また、ユーザ自身がメモリ媒体内の識別データを不必要に操作してしまうことを抑制することができ、セキュリティを確保しつつ、自己の端末のみに必要なデータを記憶させることができ、ユーザの利便性の向上を図ることができる。また、このような装置を用いることで、入力が困難である携帯端末に装備された操作部を操作することなく、容易にデータの記録を行うことができる。【００１５】
さらに前記使用データの内容を特定する書込データ特定情報を入力するための入力手段と、前記入力手段から入力される、ユーザが要求する前記書込データ特定情報を受け付ける書込データ特定情報受付手段とを含み、
前記データ読み書き手段は、前記書込み指令に基づいて、前記書込データ特定情報に対応する前記使用データを前記メモリ媒体に書込む構成としてもよい。【００１６】
これにより、ユーザは自己の希望するデータをデータ書込装置に備えられた入力手段を介して特定することができるため、キー数が限られていてかつ操作部や表示部が小さいことから操作の難しい携帯端末において操作を行う必要は無く、上述同様に確実にセキュリティを確保しつつ、容易に必要なデータを携帯端末に記憶させることができる。【００１７】
また、書込データ特定情報は、携帯端末のネットワーク接続における通信料金データである、こととすると望ましく、また、書込データ特定情報は、携帯端末を用いてネットワークに接続する際に表示されるポータルサイトの内容を特定するポータル特定情報である、こととするとよい。【００１８】
このように、携帯端末に必要な利用データは、例えば、プリペイド方式の携帯電話の通話料金データや、各ユーザが希望するポータルサイトのＵＲＬなどであることとすると、これらはユーザ毎に異なるデータであるため、これらを識別データと協働して作動させるべく、当該識別データの照合後に記憶することで、よりセキュリティの向上を図ることができる。【００１９】
さらに前記携帯端末は携帯電話であり、前記ユーザ固有の識別データは、ユーザ登録した携帯電話に対してユーザ毎に割り当てられる識別データであり、
前記データ照合手段は、前記メモリ媒体から読み出された前記識別データと、携帯電話の通信キャリアが保有するユーザ登録データとを照合する構成としてもよいものである。また、前記携帯端末はＧＳＭ方式の携帯電話であり、前記メモリ媒体は、ＳＩＭカードである構成としてもよいものである。【００２０】
前記メモリ媒体は、前記携帯端末に着脱自在に装備され、前記携帯端末から取外されて前記データ読み書き手段に差し込まれる接触型媒体であり、前記データ読み書き手段は、前記メモリ媒体に接触して、前記メモリ媒体に対してデータの読み込み及び書込み処理を行う構成としてもよいものである。更には、前記メモリ媒体は、前記携帯端末に備え付けられ、データの読み込み及び書き込みが非接触にて行われる非接触型媒体であり、前記データ読み書き手段は、前記メモリ媒体に対してデータの読み込み及び書込み処理を非接触状態で行う構成としてもよいものである。この場合、前記非接触型メモリ媒体として、ＲＦＩＤタグを用いることができる。【００２１】
更に前記メモリ媒体は、前記携帯端末から取外されて前記データ読み書き手段に差し込まれる接触型媒体と、前記携帯端末に備え付けられてデータの読み込み及び書き込みが非接触にて行われる非接触型媒体とを併用したものであり、前記データ読み書き手段は、前記接触型メモリ媒体に接触して、前記メモリ媒体に対してデータの読み込み及び書込み処理を行う機能と、前記読み込み及び書込み処理するデータを前記非接触型メモリ媒体に複写する機能を有する構成としてもよいものである。
【００２２】
このような構成にすることにより、まず、識別データが記憶されたＳＩＭカードなどのメモリ媒体が携帯端末から取り出されて照合処理が行われる場合に、一度、照合処理を行うとメモリ媒体に記憶されている識別データ等を非接触にて読み出し可能なＲＦＩＤタグなどの非接触型メモリ媒体に記憶しておく。そして、この非接触メモリ媒体を、携帯端末の外面に貼付するなど外部から読み取り可能なよう装着しておくことで、後のアクセス時には当該非接触メモリ媒体から識別データ等を読み出すことができる。従って、ユーザ照合時にＳＩＭカードなどの媒体を毎回携帯端末から取り外すなどの不都合を抑制することができ、ユーザの利便性の向上を図ることができる。【００２３】
さらに、携帯端末に必要なデータを保存する媒体として、接触型メモリ媒体を用い、前記接触型メモリ媒体は、携帯端末から取外されて、データを読み出す機能とデータを書込み機能とを有するデータ読み書き手段に差し込まれ、その差し込まれた状態でデータの読出し及び書込みが行われる構成としてもよいものである。また、携帯端末に必要なデータを保存する媒体として、非接触型メモリ媒体を用い、前記非接触型メモリ媒体は、データを読み出す機能とデータを書込み機能とを有するデータ読み書き手段と非接触状態で、データの読出し及び書込みが行われる構成としてもよいものである。【００２４】
本発明に係る携帯端末メモリ用データ書込装置を用いてデータの書込みを行うには、携帯端末のメモリ媒体に記憶されたデータを読み出し、前記メモリ媒体から読み出だされた前記携帯端末のユーザ固有の識別データと、予め登録されたユーザ登録データとを照合し、データが一致した場合にのみ書込み指令を前記データ読み書き手段に出力し、前記書込み指令の入力を条件として前記メモリ媒体に前記使用データを書き込みを行う。【００２５】
本発明に係る携帯端末メモリ用データ書込装置を作動させるプログラムは、携帯端末のメモリ媒体に記憶されたデータを読み出す処理と、前記携帯端末に必要な使用データを前記メモリ媒体に書き込む処理とをデータ読み書き手段に実行させる機能と、
前記データ読み書き手段が前記メモリ媒体から読み出した前記携帯端末のユーザ固有の識別データと、予め登録されたユーザ登録データとを照合し、データが一致した場合にのみ書込み指令を前記データ読み書き手段に出力する処理をデータ照合手段に実行させる機能と、
前記書込み指令の入力を条件として前記メモリ媒体に前記使用データを書き込む処理を前記データ読み書き手段に実行させる機能とを有することを特徴とするものである。
【発明の効果】
【００２６】
本発明は、以上のように構成され機能するので、メモリ媒体には、識別データと協働して作動する際に必要なデータを確実に記憶することができ、このとき、個人の認証情報が記憶された携帯端末のメモリ媒体内のデータを他人に操作されること無く、また、ユーザ自身がメモリ媒体内の識別データを不必要に操作してしまうことを抑制することができ、セキュリティを確保して、自己の端末に必要なデータを確実に記憶させることができ、ユーザの利便性の向上を図ることができる。
【発明を実施するための最良の形態】
【００２７】
本発明である携帯端末メモリ用データ書込装置は、携帯端末のメモリ媒体に記憶された識別データがユーザ登録されている場合に、携帯端末が作動する際に必要なデータをメモリ媒体に書き込む、というものである。以下、実施例１では、メモリ媒体に書き込むデータが、ユーザ毎にカスタマイズ可能なポータルサイトにアクセス可能なＵＲＬである場合を示し、かかる構成の変形例を実施例２，３に示す。また、実施例４では、メモリ媒体に書き込むデータが、携帯端末によるプリペイド方式の通信料金データである場合を示す。さらに、実施例５では、ユーザ認証処理の別の例を示す。【００２８】
本発明である携帯端末メモリ用データ書込装置は、携帯端末のメモリ媒体に記憶された識別データがユーザ登録されている場合に、携帯端末が作動する際に必要なデータをメモリ媒体に書き込む、というものである。以下、実施例１では、メモリ媒体に書き込むデータが、ユーザ毎にカスタマイズ可能なポータルサイトにアクセス可能なＵＲＬである場合を示し、かかる構成の変形例を実施例２，３に示す。また、実施例４では、メモリ媒体に書き込むデータが、携帯端末によるプリペイド方式の通信料金データである場合を示す。さらに、実施例５では、ユーザ認証処理の別の例を示す。
【実施例１】
【００２９】
本発明の第一の実施例を、図１乃至図２０を参照して説明する。図１乃至図３は、本発明の構成の概略を示すブロック図である。図４乃至図２０は、本発明の動作を示すフローチャート等の動作説明図である。【００３０】
（全体構成）
図１に示すように、本発明である携帯端末メモリ用データ書込システムは、ユーザが所有する携帯端末である携帯電話１と、この携帯電話１のメモリ媒体に対して直接ポータルサイトデータを提供するポータルサイトデータ提供装置２と、このポータルサイトデータ提供装置２から提供されるデータやユーザ情報などを管理するネットワークＮを介して接続されたポータル管理サーバ３と、ウェブサイトを開設してコンテンツを配信しているコンテンツサーバ４と、をから成る。そして、上記ポータルサイトデータ提供装置２及びポータル管理サーバ３が協働して作動することによって、後述するように、携帯電話１のメモリ媒体に記憶されているユーザの識別データがポータル管理サーバ３に登録されているユーザ登録データとして登録されている場合に、当該メモリ媒体にポータルサイトのＵＲＬを記憶する、というように携帯端末メモリ用データ書込装置として作動する。【００３１】
ここで、本システムにおける動作概略を説明する。まず、携帯電話１のユーザは、携帯電話１を初めて契約してその利用を開始する際に、当該携帯電話１に組み込まれるＳＩＭカードなどのメモリ媒体をポータルサイトデータ提供装置２のカードリーダライタに差し込む。その後、ポータルサイトデータ提供装置２では、ＳＩＭカードから読み出した識別データが、ポータル管理サーバ３のポータル管理データベース３１にユーザ登録されている場合に、ディスプレイ上で自己の希望するウェブサイトを選択して、かかるサイトへのリンクがメニューとして表示されるポータルサイトのＵＲＬをメモリ媒体に記憶させる。これにより、ユーザは、自己の識別データと共にＵＲＬにアクセスすることにより、アクセスしているユーザをＵＲＬの接続先に通知することができ、自身固有のポータルサイトを表示させることができる。これにより、予め設定しておいた内容の自己に最適なポータルサイトを利用することができるため、インターネット接続時の利便性のさらなる向上を図ることができる。以下、各構成、すなわち、各コンピュータについて詳述する。【００３２】
（携帯電話）
携帯電話１は、所定のユーザが有する携帯端末であって、ネットワーク接続機能を備えていることにより、種々のウェブサーバにアクセス可能であり、種々のコンテンツを取得可能なものである。そして、携帯電話１には、予め基本的なネットワーク接続機能が備えられているが、いかなるポータルサイトにアクセス可能か否かは不明である。【００３３】
また、携帯電話１は、特に、ＧＳＭ方式の電話機である。このＧＳＭ方式は、主にヨーロッパで用いられており、ＳＩＭカードと呼ばれる加入者を識別判断する方式のものである。また、このＳＩＭカードとは、Subscriber Identify Module（加入者識別モジュール）の略でＧＳＭサービスに加入すると発行され、ＧＳＭ方式の電話機にセットして使用することができる。このＳＩＭカードには、個々のカードに固有のＳＩＭ＿ＩＤと、加入者の情報である電話番号、さらには、暗証番号となるＰＩＮコードなどが記憶されている。そして、ＧＳＭ方式の電話機はこのＳＩＭカードをセットして初めて使用できるという仕組みになっている。【００３４】
また、携帯電話１には、インターネットに接続したときに、ポータルサイトへのアドレスデータが予め記憶されている場合には、かかるアドレスデータを読み出して、そのＵＲＬにアクセスする機能を有する。そして、例えばポータルサイトのＵＲＬは、ＳＩＭカード内に記憶されており、当該ＳＩＭカード内の特定領域内のＵＲＬを読み出して、ポータルサイトにアクセスする機能を有する。このＳＩＭカードに記憶されるＵＲＬは、後述するように、ＳＩＭカードがポータルサイトデータ提供装置に予め挿入されて、記憶される。【００３５】
但し、携帯電話端末によっては、上述したようにＳＩＭカードに記憶されたＵＲＬを読み出さないものも存在する。従って、ユーザの端末機種によっては、ショートメールサービス（ＳＭＳ）にて配信されたＵＲＬを端末内のメモリに記憶し、かかるＵＲＬを参照してポータルサーバにアクセスする機能を有する。【００３６】
（ポータルサイトデータ提供装置）
図２に、ポータルサイトデータ提供装置２を示す。図２（ａ）は、その外観の一例であって、図２（ｂ）はその構成を示す機能ブロック図である。なお、ポータルサイトデータ提供装置２は、ユーザの出先、例えば携帯電話販売店やコンビニエンスストアなどに設置される。
【００３７】
このポータルサイトデータ提供装置２は、上部にタッチパネル２６（入力手段）としての役割を果たすディスプレイ２１（表示手段）と、携帯電話１のＳＩＭカード１１がカードホルダ１１ａに装着された状態で挿入され、当該ＳＩＭカード１１の記憶領域に対してデータの読み書きを行うカードリーダライタ２２（データ読み書き手段）と、を備えている。また、その内部は、コンピュータにて構成されていて、演算部であるＣＰＵ２３と、記憶部であるメモリ２４あるいはハードディスクとが備えられている。さらには、この装置はネットワークＮを介して他のコンピュータに接続可能であり、これを実現するための通信装置である通信部２５を備えている。【００３８】
そして、ＣＰＵ２３には、メモリ２４に予め記憶されたプログラム２４ａが読み出されて組み込まれることにより、以下に示す各処理部が構築され、また、以下の動作説明時に説明する処理が実現される。すなわち、ＣＰＵ２３には、通信部２５を介して他のコンピュータとの通信を行う通信処理部２３ａと、カードリーダライタ２２に挿入されたＳＩＭカードに対して読み書き動作を行うリードライト処理部２３ｂと、ユーザからの入力に応じて希望するポータルサイトを設定するポータル編集部２３ｃと、ユーザにポータルサイトの構成などを表示して希望を要求する表示制御部２３ｄと、タッチパネルから成る入力部２６からの入力データを受け付ける入力受付部２３ｅと、が構築されている。【００３９】
特に、表示制御部２３ｄは、ポータルサイトの内容、すなわち、予めポータルサイトを介してアクセス可能な種々のウェブサイトに関する情報を含むポータル内容情報を、後述するポータル管理サーバから受信して、ディスプレイに表示する。また、上記ポータル編集部２３ｃは、入力受付部２３ｅを介して表示制御部２３ｄによる表示に応じてユーザにて選択されるポータルサイトを構成するウェブサイトの特定情報を含むポータル情報を受け付ける（書込データ特定情報受付手段）。なお、このポータル情報とは、ポータルサイトの内容を特定するデータであり、これに対応するサイトにアクセスするためのＵＲＬが後述するようにＳＩＭカードに書き込まれる。さらに、このポータル編集部２３ｃは、受け付けたポータル情報を、リードライト処理部２３ｂにてカードリーダライタ２２に挿入されたＳＩＭカード１１から読み出されたユーザ固有の識別データであるＳＩＭ＿ＩＤを含めて、ポータル管理サーバに送信する（ポータル情報送信手段）。【００４０】
また、リードライト処理部２３ｂ（データ読み書き手段）は、上述したようにＳＩＭカードからＳＩＭ＿ＩＤの読み出しを行うと共に（識別データ読出手段）、このＳＩＭ＿ＩＤが予め登録されているか否かの照合を行う（データ照合手段）。また、識別データが登録データと一致した場合には、ポータル情報が確定したユーザのＳＩＭカード１１に、ポータルサイトへのアドレスデータと成るＵＲＬを書き込む（アドレスデータ記憶手段）。なお、このアドレスデータは、ポータル管理サーバ３に記憶されている予め定められたＵＲＬデータである。但し、後述するように、このＵＲＬが実際にＳＩＭカードに書き込まれる際には、当該ＵＲＬにＳＩＭ＿ＩＤなどの識別データが加えられる。すなわち、後にＵＲＬにアクセスする際には、ユーザの識別データであるＳＩＭ＿ＩＤと共にアクセス先のウェブサーバに送信されることとなる。【００４１】
但し、上記リードライト処理部２３ｂにて行われるデータ照合処理は、後述するようにポータル管理サーバ３にて行われてもよい。かかる場合には、ポータル管理データベース３１内にユーザ登録データが予め記憶されており、かかるデータと照合される。なお、以下に説明する動作説明時には、ポータル管理サーバ３にて照合が行われる例を説明している。【００４２】
また、上述したポータル情報は、ポータル管理サーバ３にてポータルサイトの構築が行われる際に参照される。すなわち、このポータル情報に基づいてポータルサイトの構築が行われる。そして、アクセスしてきたユーザに対応したポータルサイトの構築が行われ、その携帯電話１にポータルサイト情報を送信する。なお、ＣＰＵによる各処理については動作説明時に詳述する。【００４３】
ここで、本発明におけるポータルサイトとは、携帯端末１にてインターネット接続を開始する際に必ず表示されるサイトである。なお、一般的には、通信キャリアが開設するポータルサイトや、端末メーカが提供するサイト、さらには、各種検索エンジンを搭載したポータルサイトなどがある。但し、本発明では、ポータルサイトは必ずしもウェブサイトであることに限定されない。インターネット接続を開始する際に必ず表示される画面データであって、携帯端末に記憶されているデータであってもよい。【００４４】
（ポータル管理サーバ）
ポータル管理サーバ３は、上述したように、ポータルサイトデータ提供装置２に対して種々のデータを提供し、ユーザによってカスタマイズされたポータルサイトに関するデータを管理するサーバである。なお、図１には、記憶装置であるポータル管理データベース３１をポータル管理サーバ３と分離して図示しているが、サーバコンピュータであるポータル管理サーバ内に記憶されていてもよい。かかるポータル管理サーバ３（ポータル管理データベースを含む）の構成を、図３の機能ブロック図を参照して説明する。【００４５】
そして、ポータル管理サーバ３のＣＰＵには、特定のプログラムが組み込まれることにより、ポータルサイトデータ提供装置２に供給して当該装置２のディスプレイ２１に表示させるデータや、ユーザごとのポータルサイトを特定するポータル情報など、種々のデータを管理する機能を有している。具体的には、ポータルサイトデータ提供装置２とのデータの送受信及び携帯電話１からのアクセスに応じて構築したポータルサイトの配信を行う送受信部３２ｅ、ＳＩＭカードから読み出されたＰＩＮコードやユーザ固有の識別データであるＳＩＭ＿ＩＤがユーザ登録されているかを調べるユーザ認証部３２ａ、ユーザごとに設定されるポータルの構成であるポータル情報を管理するポータル管理部３２ｂ、ポータル情報に基づいてポータルサイトの構築を行うポータルサイト構築部３２ｃ、さらには、ポータルに組み込むことのできるコンテンツ（ウェブサイト）を管理するコンテンツ管理部３２ｄ、が構築されている。【００４６】
これに伴い、ポータル管理データベース３１には、既にシステムを利用したことがあり登録されているユーザの登録情報を記憶するユーザデータ記憶部３１ａ、ポータルサイトを構築するための素材などのデータが記憶されたポータルサイト構築データ記憶部３１ｂ、ユーザごとのポータルサイトの構成を示すユーザ別ポータル情報記憶部３１ｃ、ユーザの携帯端末１に対して配信されるコンテンツが記憶されたコンテンツ記憶部３１ｄ、さらには、ポータルサイトデータ提供装置２にて表示される画面情報やその制御プログラムなどを含む提供装置用データ記憶部３１ｅ、が構築されている。なお、この提供装置用データ記憶部３１ｅには、ポータルサイトのアドレス先となるポータル管理サーバ３自身が開設しているサイトのＵＲＬが記憶されており、かかるＵＲＬはポータルサイトデータ提供装置２に供給されて、当該装置２にて携帯電話１のＳＩＭカード１１に書き込まれる。なお、各処理部による機能やデータの内容については、動作説明時に詳述する。ここで、上記ユーザ認証部３２ａは、上述したポータルサイトデータ提供装置２のデータ照合手段として作動し、照合結果を出力する。【００４７】
（動作）
次に、上述したシステムの動作を、図４乃至図２０を参照して説明する。図４は、ポータルサイトデータ提供装置２の動作を示すフローチャートであり、図５は、その処理の一部であるポータル情報編集処理の動作を示すフローチャートである。また、図６はポータル管理サーバ３の動作を示すフローチャートであり、図７は、その処理の一部であるポータルサイト配信処理の動作を示すフローチャートである。図８乃至図１１は、システム全体の動作を示すシーケンス図である。図１２乃至図２０は、ポータルサイトデータ提供装置２のディスプレイ２１に表示される画面を示す図である。以下、主に、図８乃至図１１のシーケンス図に沿ってシステム全体の動作を説明する。そして、同時に、その詳細な動作を他の図を参照して説明する。【００４８】
（ポータルサイト提供装置の動作）
まず、携帯電話１のユーザは、携帯電話１を新規に契約すると、これに用いるＳＩＭカード１１を取得する。そして、初期状態では、ＳＩＭカード１１は、カードホルダ１１ａに取り付けられた状態になっている。なお、以下では、新規に契約したユーザを主に説明するが、既に本システムを利用したことがあるユーザについても説明する。その場合には、ＳＩＭカード１１を別途カードホルダ１１ａに装着して、ポータルサイトデータ提供装置２に挿入する。【００４９】
ユーザは、ＳＩＭカード１１に自己の希望するポータルサイトのアドレスデータを記憶させるべく、ポータルサイトデータ提供装置２を用いる。なお、ポータルサイトデータ提供装置２の動作は、ポータル管理サーバ３の提供装置用データ記憶部３１ｅに記憶されているデータが送受信部３２ｅを介して提供され（図８のステップＳ１０１）、ＣＰＵ２３に組み込まれることにより実現できる。例えば、ディスプレイに表示される画面データや、選択可能なポータルサイトのコース、各コースの内容、ポータルサイトに追加することが可能なウェブサイトに関するデータ、さらには、ポータルサイトにアクセスするためのアドレスデータも、ポータル管理サーバ３からポータルサイトデータ提供装置２に送信される。【００５０】
そして、ユーザがポータルサイトデータ提供装置２のディスプレイ２１に触れると、まず、ポータルサイトデータ提供装置２のディスプレイ２１には、オープニング画面として、図１２（ａ）に示すような画面が表示されている。そして、ユーザは、この画面の中央下に表示されているように、ＳＩＭカード挿入指示に従って（図８のステップＳ１０２）、ＳＩＭカードをカードリーダライタ２２（図２（ａ）参照）に挿入する（図８のステップＳ１０３，Ｓ１０４）。なお、オープニング画面において、画面左下に位置するボタンを選択すると、図１２（ｂ）に示すように、ポータルサイトに組み込むことが可能なコンテンツの新着情報が表示される。これらのコンテンツ新着情報も、ポータル管理サーバ３（コンテンツデータ記憶部３１ｄ）から提供されるものである。【００５１】
続いて、ＳＩＭカードが挿入されたポータルサイトデータ提供装置２は、図１３（ａ）に示すように、ユーザＵに対してＳＩＭカードのＰＩＮコードの入力を要求する（図８のステップＳ１０５）。そしてこれに応答してユーザがＰＩＮコードを入力すると（図８のステップＳ１０６）、これをポータルサイトデータ提供装置２では記憶保持すると共に、カードリーダライタ２２に挿入されているＳＩＭカード内に記憶されているＰＩＮコードを読み出し（図８のステップＳ１０７，Ｓ１０８）、ユーザにて入力されたものと一致しているか否かを調べる（図８のステップＳ１０９）。これにより、ＳＩＭカードユーザの認証処理が行われ（図４のステップＳ１）、ＳＩＭカードの保有者による適切な利用が図られ、セキュリティの向上を図ることができる。【００５２】
続いて、本人による操作であることがわかると、挿入されているＳＩＭカードからユーザ固有のデータである「ＳＩＭ＿ＩＤ」を読み出す（識別データ読出工程、図８のステップＳ１１０，Ｓ１１１）。その後、読み出された情報は、ポータル管理サーバ３に送信され（図８のステップＳ１１２）、かかるＳＩＭ＿ＩＤが登録ユーザとして登録されているか否かの照合を行う（データ照合工程、図８のステップＳ１１２）。このとき、ユーザの照合は、ポータル管理サーバ３にデータが送信され、当該サーバ３内のユーザデータ記憶部３に記憶されているか否かで行われる（図８のステップＳ１１３，Ｓ１１４）。但し、このユーザ照合は、携帯端末の通信キャリアのサーバにて行われてもよい。すなわち、ＳＩＭ＿ＩＤが通信キャリアサーバに送信され、予め通信契約をしているユーザデータベースと照合することによって行ってもよい。【００５３】
なお、ポータル管理サーバ３に登録がない場合には、このとき、新たにＳＩＭ＿ＩＤ、及び、ＰＩＮコードを、登録ユーザとしてユーザデータ記憶部３１ａに記憶し、これにより、照合が完了してものとする。このようにしてユーザ認証処理が行われる（図４のステップＳ２）。そして、この認証処理が終了すると、ユーザのポータルサイトの編集処理が行われる（図４のステップＳ３）。かかる編集処理については、図５も参照して詳細に説明する。【００５４】
まず、上記読み出したＳＩＭ＿ＩＤが、ポータル管理サーバ３のユーザデータ記憶部３１ａ内の登録ユーザデータを参照して、既に登録しているユーザであることがわかると（図５のステップＳ１１）、ＳＩＭ＿ＩＤをキーに、かかるユーザが現在契約しているポータルサイトのポータル情報をユーザ別ポータル情報記憶部３１ｃから読み出して、この内容を確認的に表示する画面が示される（図１３（ｂ）参照、図５のステップＳ１２）。これに対してポータルサイトの内容に変更がなければ（図５のステップＳ１３にて否定判断）、現時点でのポータルサイトでよいか否かの確認へと進む（図５のステップＳ２５）。一方、変更要求がなされ（図５のステップＳ１３にて肯定判断）、ポータルサイトのコースを変更しない場合には（図５のステップＳ１４にて否定判断）、後述するステップＳ１９に進み、コースを変更する場合には（図５のステップＳ１４にて肯定判断）、未契約の場合と同様の処理に進み、図１４（ａ）に示すように、ポータルサイトのコース一覧が表示される（図５のステップＳ１５、図９のステップＳ１２１）。なお、ポータルサイトのコースとは、予めポータルサイトの内容が定められた基本的なものがいくつか用意されており、各コース毎にアクセス可能なウェブサイトの種類が異なる。【００５５】
ここで、各コースの内容を知りたい場合には、コース説明要求ボタンを選択することで（図５のステップＳ１６にて肯定判断）、各コースに予め含められているリンクの内容（リンクされているウェブサイト一覧）が表示される（図５のステップＳ１７）。なお、ここでは、「Ｓｍａｒｔ  Ｐａｃｋ」を選択したとすると（図５のステップＳ１８にて肯定判断、図９のステップＳ１２２）、図１４（ｂ）に示すように、その選択したコースに予め含まれているコンテンツの表示がなされる（図５のステップＳ１９、図９のステップＳ１２３）。【００５６】
これに対して、ユーザは、上記選択したコースの内容の変更を希望する場合には、コンテンツの編集要求を行う（図５のステップＳ２０にて肯定判断、図９のステップＳ１２４）。この編集要求に応じて、ポータルサイトデータ提供装置２は、図１５（ａ）に示すようなコンテンツの一覧画面を表示する（図５のステップＳ２１、図９のステップＳ１２５）。そして、これに対してユーザは、コンテンツを追加する場合には、コンテンツを選択する旨の情報をポータルサイトデータ提供装置２に入力する（図５のステップＳ２２にて肯定判断、図９のステップＳ１２６）。例えば、図１５（ａ）に示す各コンテンツの表示をマウスでクリックすることにより、現在選択しているコースの欄にチェックボックスにて選択することで、当該コースのポータルサイトに表示されるリンクを新たに追加することができる（図５のステップＳ２３）。このとき、各コンテンツの内容を知りたい場合には、図１５（ｂ）に示すように、「ｓａｍｐｌｅ」ボタンを押下することで、当該コンテンツにて表示される画面の一例や当該コンテンツの説明データが表示される。なお、このときのコンテンツデータは、はじめにポータル管理サーバ３から送信されたものでもよく、あるいは、ユーザにて選択される毎に、ポータルサイトデータ提供装置２にて表示するデータをポータル管理サーバ３から要求してもよい。なお、本実施例にてポータルサイトに追加できるコンテンツは、例えば、図１６に示すものがあり、これらはトップカテゴリーの階層下にそれぞれ位置するよう存在している。すなわち、ポータルサイトとして表示すると、まず、トップページに６つのカテゴリーが現れ、各カテゴリーを選択すると、そのカテゴリーの中で選択したメニューが現れることとなる。【００５７】
そして、ポータルサイトデータ提供装置２は、ユーザからコンテンツを選択する情報を受け取ると、これらの内容を反映したポータルサイトのメニュー、例えば、追加されたコンテンツの内容（図１７（ａ））や、これらが組み込まれたポータルサイトのメニュー一覧（図１７（ｂ））を表示する（図５のステップＳ２４、図９のステップＳ１２７）。また、さらにユーザがこれを見てコンテンツの変更を希望する際には、また、コンテンツの編集（変更）要求を入力して、上述したように、コンテンツの追加や削除を行う（図５のステップＳ２５にて否定判断）。【００５８】
そして、コンテンツの編集が終了すると、ユーザはポータルサイトデータ提供装置の画面上で、「ＯＫ」ボタンを押す。すると、図１８（ａ）又は図１８（ｂ）に示すように、ユーザが選択したポータルサイトの内容が表され、これに最終的に決定することで（図９のステップＳ１２８）、これまでに選択してきたポータルサイト、すなわち、各コンテンツサイトをメニューに含むポータルサイトが決定される（図５のステップＳ２６）。なお、このとき、最終決定前に図１９（ａ）に示すように、ユーザが使用する携帯電話の端末の種類の問い合わせ画面が表示され、これに対してユーザは端末情報を入力する。すると、かかる情報も反映された確認画面（図１８（ｂ））が表示される。【００５９】
その後、ポータルサイトデータ記憶装置２では、上記決定したポータルサイトを選定する情報、すなわち、ポータル情報がポータル管理サーバ３に登録される（図４のステップＳ４）。そして、ユーザにて決定されたポータルサイトのメニュー情報や、これに追加されるコンテンツ情報を含むポータル情報、さらには、端末情報が、ＳＩＭ＿ＩＤと共にポータルサイトデータ提供装置２からポータル管理サーバ３に送信され（図９のステップＳ１２９）、ポータル管理サーバ３ではＳＩＭ＿ＩＤと共にこれがユーザ別ポータル情報記憶部２１ｃに登録される（図９のステップＳ１３０）。そして、ポータル管理サーバ３からの応答を得ると、ポータルサイトデータ提供装置２では、ポータル管理サーバ３から送信されたポータルサイトへのＵＲＬを読み出し（図９のステップＳ１３２）、あるいは、このときに初めてポータル管理サーバ３からＵＲＬを取得し、当該ＵＲＬの末尾にＳＩＭ＿ＩＤを暗号化して付加して（図９のステップＳ１３３）、ＳＩＭカードに書き込む（データ書込工程、図９のステップＳ１３４）。これにより、ＳＩＭカードに書き込まれたＵＲＬは、末尾にＳＩＭ＿ＩＤが付加されていることから、ユーザごとに固有のＵＲＬとなる。但し、このとき、ＳＩＭカードに書き込まれるＵＲＬに、ＳＩＭ＿ＩＤが付加されなくてもよい。その場合には、後述するように携帯電話１にてＵＲＬにアクセスすると同時に、アクセス先にＳＩＭ＿ＩＤも送信する。これにより、いかなるユーザからアクセスされたか、ということをアクセス先のサーバは認識することができ、ユーザ固有のポータルサイトを提供することができる。なお、このＵＲＬはポータル管理サーバ３にアクセスされるものである。【００６０】
ここで、上述したＳＩＭカードへの記録中には、ポータルサイトデータ提供装置２のディスプレイには、図１９（ｂ）に示すような画面が表示され、実際にＳＩＭカードにＵＲＬが書き込まれ（図９のステップＳ１３５）、書込みが終了した際に応答データを受信すると（図９のステップＳ１３６）、図２０（ａ）に示すような書込み終了画面が表示され、その後、図２０（ｂ）に示すように、ＳＩＭカード取り出し指示画面が表示される（図９のステップＳ１３７）。【００６１】
これにより、ポータルサイトデータ提供装置２に表示される画面を見ながら容易に自己の希望するウェブサイトを含んだポータルサイトを設定することができ、かかるサイトへのＵＲＬを自己の携帯端末のメモリ媒体に記録させることができる。従って、携帯端末の小さい操作部を操作することなく、容易かつ迅速に、かかるデータを取得することができる。【００６２】
続いて、上述したように携帯電話１のメモリ媒体に、ユーザ専用のポータルサイトへのＵＲＬを記憶した後であって、かかるＵＲＬにアクセスしたときのシステム全体の動作、及び、ポータル管理サーバ３の動作を、図１０乃至図１１、及び図６乃至図７を参照して説明する。【００６３】
その前に、ユーザにてアクセスされるまであって、上記ポータルサイトデータ提供装置に対するポータル管理サーバ３の動作を、簡単に説明する。まず、ポータル管理サーバ３は、常にポータルサイトに追加することが可能なコンテンツを受け入れている。すなわち、他のコンテンツサーバ４、具体的には、コンテンツサーバ４の運営者からのアクセスを受けて、ポータルサイト追加要求を受け付けている。そして、ある条件を満たせば、ポータルサイトに追加可能なコンテンツサイトとして登録をし、かかるコンテンツサイトのＵＲＬや、内容を表すテキストデータ、サンプル画面データなどを、コンテンツデータ記憶部３１ｄに記憶しておく（コンテンツ管理処理、図６のステップＳ３１）。そして、かかるデータは、コンテンツ管理部３２ｄで管理され、ポータルサイトデータ提供装置２に対して、当該装置２に表示される画面データやその表示を制御するプログラムと共に送信される（ポータルサイトデータ送信処理、図６のステップＳ３２）。また、上述したように、ポータルサイトデータ提供装置２から送信される各ユーザにて選択設定されたポータルサイトの内容を表すポータル情報を、受信して登録するポータル情報登録・更新処理（図６のステップＳ３３）が行われる。【００６４】
そして、その後、ユーザから携帯電話１にてアクセスがあると、当該ユーザ固有のポータルサイトを配信する処理を行う（図６のステップＳ３４）。この動作を詳述する。まず、ユーザは、携帯電話１の機能が表示されているトップメニュー表示（図１０のステップＳ１５１）の中からインターネット接続を選択すると（図１０のステップＳ１５２）、携帯電話１端末自身はＳＩＭカードから、上述したようにポータルサイトデータ提供装置２にて記録されたＵＲＬを読み出す（図１０のステップＳ１５３，Ｓ１５４）。そして、このＵＲＬに基づいて、当該ＵＲＬの接続先であるポータル管理サーバ３にアクセスする（図１０のステップＳ１５５）。なお、携帯端末の機種によってはインターネットアクセス時にＳＩＭカードに記憶されているＵＲＬを読み出さないものもあるので、上述したようにユーザにて入力された機種情報に基づいて、場合によってはポータル管理サーバ３がショートメールサービス（ＳＭＳ）やＥメールにて、上述したポータルサイトにアクセス可能なＵＲＬをユーザの携帯電話１に配信することとする。この場合には、ローカル領域に記憶されたＵＲＬを読み出し、これに基づいてアクセスする。【００６５】
そして、ポータル管理サーバ３は、携帯電話１からアクセスがあると（図７のステップＳ４１にて肯定判断）、受信したＵＲＬの末尾に含められているＳＩＭ＿ＩＤを抽出する（図７のステップＳ４２，図１０のステップＳ１５６）。あるいは、ＵＲＬと共にＳＩＭ＿ＩＤを受信する。そして、このＳＩＭ＿ＩＤを参照して、当該ＩＤを有する、あるいは、当該ＩＤに関連付けられたポータル情報を読み出す（図７のステップＳ４３，図１０のステップＳ１５７）。これにより、アクセスしてきたユーザのポータル情報を読み出すことができる。そして、読み出したポータル情報と、ポータルサイト構築データとに基づいて、ポータルサイトを構築する（図７のステップＳ４４，図１０のステップＳ１５８）。このとき、例えば、予め用意されたコースに変更が加えられていないポータルサイトであれば、かかるサイトが予めポータルサイト構築データとして用意されているので、これを用いる。また、追加コンテンツがある場合には、各コースのポータルサイトをベースにして、コンテンツデータ記憶部に記憶されているコンテンツサイトのアドレスデータであるリンクを追加して、個々のユーザに適したポータルサイトを構築する。そして、構築したポータルサイトのデータを、携帯電話１の表示部に表示するよう配信する（図７のステップＳ４５，図１０のステップＳ１５９）。このとき、上記ポータル情報には携帯電話１の機種に関する情報も含まれているので、構築する際に、各機種にて適切な画面表示となるよう画面サイズなどを調整して構築される。従って、携帯電話１では、ポータルサイトが適切に表示されることとなり、ユーザはこれを見ることができる（図１０のステップＳ１６０）。【００６６】
続いて、表示されたポータルサイトからさらに各コンテンツサイトにアクセスしたときの処理動作を説明する（図６のステップＳ３５）。まず、ユーザがポータルサイトの中からあるメニュー項目を選択し、これがサブカテゴリーであるとすると（図７のステップＳ４６にて肯定判断）、当該サブカテゴリーに含まれるコンテンツサイトを表示したサブカテゴリーのページ（サイト）をポータル情報を参照して構築する（図７のステップＳ４７）。そして、かかるページが配信される（図７のステップＳ４８）。【００６７】
その後、ポータルサイトのメインページ、あるいは、サブページに表示されているコンテンツサイトへのリンクを選択すると（図７のステップＳ４９にて肯定判断，図１１のステップＳ１７１）、携帯電話１からコンテンツを要求するデータがポータル管理サーバ３に送信され（図１１のステップＳ１７２）、これを受けたポータル管理サーバ３は、ＵＲＬからユーザのＳＩＭ＿ＩＤを読み出す。このとき、既に読み出している場合には、バッファメモリ上にあるＳＩＭ＿ＩＤを取得する（図１１のステップＳ１７３）。その後、選択されたコンテンツを利用する契約があるか否かを、ＳＩＭ＿ＩＤと、コンテンツデータ記憶部３１ｄ内のデータとを参照して調べる（図７のステップＳ５０、図１１のステップＳ１７４）。そして、当該ユーザが契約していると判断される場合には（図５のステップＳ５１にて肯定判断）、コンテンツＵＲＬに基づいてコンテンツサーバにアクセスして、必要とされるコンテンツを取得する（図７のステップＳ５２，図１１のステップＳ１７５）。そして、そのコンテンツを携帯電話１に配信することで（図７のステップＳ５３，図１１のステップＳ１７６）、ユーザは携帯電話１の表示部を介してコンテンツを閲覧することができる（図１１のステップＳ１７７）。【００６８】
なお、上記では、コンテンツサーバから一度ポータル管理サーバにコンテンツを受信して、これを携帯電話１に配信している。このようにすることで、ポータル管理サーバ３がプロキシサーバとしての役割を果たすため、迅速なデータ送受信を行うことができ、かつ、有料のサイトである場合には、上述したように、ポータルサイトデータ提供装置２にてポータルサイトを選択する際に課金することができ、コンテンツサイトごとに契約及び課金に対応することが抑制される。【００６９】
このようにすることにより、ユーザは自己が希望するポータルサイトの内容をポータルサイトデータ提供装置２にて入力することができ、そして、その内容が反映されるポータルサイトへのＵＲＬが自動的にＳＩＭカードなどの記憶媒体に記憶される。従って、目的のポータルサイトにアクセス可能なＵＲＬのみが携帯端末のメモリに記憶されることとなり、また、容易にオリジナルなポータルサイトを作成することができる。特に、自己の識別番号と共にポータルサイトへのＵＲＬを記憶しておくことで、ＵＲＬに基づいてアクセスしたときに自動的に識別データがポータル管理サーバ３に送信され、これにより、当該ポータル管理サーバ３がアクセスしてきたユーザを認識することができ、当該ユーザ固有のポータルサイトを構築して、これを配信することができるため、ユーザの利便性が増すと共に、当該ユーザにのみ表示されるため、セキュリティの向上を図ることができる。【００７０】
ここで、上記実施例では、ポータルサイトデータ提供装置にてユーザが選択特定するポータルサイトは、当該サイトからのリンク先であるウェブサイト（コンテンツ）までも選択できる場合を例示したが、必ずしもこれに限定されない。単に、複数のポータルサイト（当該サイトがポータル管理サーバ３にあることに限定されない）が用意されていて、このうち、一つのポータルサイトを選択し、そのＵＲＬがＳＩＭカードに記憶されてもよい。このようにしても、ユーザが希望するポータルサイトのＵＲＬを、携帯端末を操作せずに取得することができ、その後の操作が容易となる。なお、ＵＲＬが記憶される携帯電話のメモリ媒体はＳＩＭカードであることに限定されない。ＳＤカードなどの他のメモリ媒体でもよい。
【実施例２】
【００７１】
次に、本発明の第２の実施例について図２１を参照して説明する。本実施例においては、上記実施例１とは、ポータルサイトデータ提供装置２が備えるデータ読み書き手段の構成が異なる。すなわち、図２（ａ），（ｂ）に示すように、カードリーダライタ２２にて構成されておらず、例えば、携帯電話１と赤外線通信にて当該携帯電話１に内蔵されるメモリ媒体に対してデータの読み書きを行う赤外線ポート２２’（図２１（ａ）参照）などの被接触型近距離通信や、携帯電話１に備えられている接続端子に接続される接続手段２２”（図２１（ｂ）参照）などにより構成されていてもよい。このように、携帯電話１からＳＩＭカードなどのメモリ媒体を着脱することなく、ポータルサイトデータを記憶させることができるため、さらなる利便性の向上を図ることができる。
【実施例３】
【００７２】
次に、本発明の第３の実施例について説明する。本実施例においては、ポータルサイトデータ提供装置２にて携帯電話のメモリ媒体に記憶されるデータは、ポータルサイトのＵＲＬではなく、ローカルにポータルサイトを構築するポータル画面データである点で上記実施例とは異なる。【００７３】
このため、本実施例では、ポータルサイトデータ提供装置２が、ポータル画面データを構築するためのポータル画面データを記憶しており、また、ユーザから入力されたポータル情報に基づいてポータル画面データを構築するポータル画面データ構築処理部がＣＰＵに構築されている。そして、この構築したポータル画面データを携帯電話１のメモリ媒体であるＳＩＭカードや、直接携帯電話に対してその内蔵メモリに記憶する。【００７４】
これにより、ユーザにて選択された種々のウェブサイトへのアドレスデータのリンクが集められたポータル画面データが構築され、これが携帯端末に記憶される。従って、自己の選択したメニューであるウェブサイトへのリンクが表示されたポータル画面が携帯端末上に表示されるため、携帯端末にて事前に操作して自己の希望するサイトへのリンクが用意されたポータルサイトを設定しておくことなく、ネットワーク接続時に自己の利用しやすいポータル画面が表示され、これに表示されている各サイトへのアクセスが可能となる。【００７５】
そして、かかるポータルサイトにユーザ認証を有する登録制のウェブサイトが含まれている場合には、この登録制のウェブサイトにアクセスしたときに、ポータル画面データが記憶されているＳＩＭカードからユーザの識別データであるＳＩＭ＿ＩＤが読み出されて当該ウェブサイトに送信される。従って、ユーザ認証によるセキュリティを確保しつつ、そのユーザ認証処理が容易になり、ユーザの利便性の向上を図ることができる。
【実施例４】
【００７６】
次に、本発明の第４の実施例について、図２２乃至図２５を参照して説明する。実施例４における携帯端末メモリ用データ書込システムは、ユーザが所有する携帯端末である携帯電話１と、この携帯電話１０１に通信料金を入金することができる料金チャージ装置１０２、この料金チャージ装置１０２にネットワークを介して接続された通信キャリアサーバ１０３とを備えている。そして、料金チャージ装置１０２及び通信キャリアサーバ１０３によって、メモリ媒体に記憶されているユーザの識別データがポータル管理サーバ１０３に登録されているユーザ登録データとして登録されている場合に、当該メモリ媒体に料金入金情報が記憶される、というように携帯端末メモリ用データ書込装置としての機能を果たす。【００７７】
これに伴い、通信キャリア内、すなわち、通信キャリアサーバ１０３に接続されたユーザデータベース１３１には、携帯電話に契約したユーザの登録データについても記憶されている。また、料金チャージ装置２のＣＰＵ１２２には、チャージ処理部１２３ｃが備えられており、リードライト処理部１２３ｂによるメモリ媒体から読み出した識別データの照合、そして、データ記憶処理が行われる。【００７８】
（動作）
まず、携帯電話１０１のユーザは、携帯電話１を新規に契約すると、これに用いるＳＩＭカード１１１を取得する。そして、初期状態では、ＳＩＭカード１１１は、カードホルダ１１ａに取り付けられた状態になっている。なお、以下では、新規に契約したユーザを主に説明するが、既に本システムを利用したことがあるユーザについても説明する。その場合には、ＳＩＭカード１１１を別途カードホルダ１１１ａに装着して、ポータルサイトデータ提供装置１０２に挿入する。【００７９】
ユーザは、ＳＩＭカード１１１に自己の希望する通信料金を入金すべく、料金チャージ装置１０２を用いる。なお、料金チャージ装置１０２の動作は、予め記憶されているプログラムにより実現される。但し、この料金チャージ装置１０２を管理する他のコンピュータがネットワークＮ上に存在し、かかるコンピュータからプログラムが提供されてもよい。【００８０】
そして、ユーザが料金チャージ装置１０２のディスプレイ１２１に触れると、まず、料金チャージ装置１０２のディスプレイ１２１には、ＳＩＭカードの挿入を要求する画面が示され（ステップＳ２０１）、かかるＳＩＭカード挿入指示に従ってＳＩＭカードをカードリーダライタ１２２（図２３（ａ）参照）に挿入する（ステップＳ２０２，Ｓ２０３）。すると、ＳＩＭカードが挿入された料金チャージ装置１０２からは、ユーザＵに対してＳＩＭカードのＰＩＮコードの入力が要求される（ステップＳ２０４）。そして、これに応答してユーザがＰＩＮコードを入力すると（ステップＳ２０５）、これを料金チャージ装置１０２では記憶保持すると共に、カードリーダライタ１２２に挿入されているＳＩＭカード内に記憶されているＰＩＮコードを読み出し（ステップＳ２０６，Ｓ２０７）、ユーザにて入力されたものと一致しているか否かを調べる（ステップＳ２０８）。これにより、ＳＩＭカードユーザの認証処理が行われ、ＳＩＭカードの保有者による適切な利用が図られ、セキュリティの向上を図ることができる。【００８１】
続いて、本人による操作であることがわかると、挿入されているＳＩＭカードから個々に固有のデータである「ＳＩＭ＿ＩＤ」を読み出す（ステップＳ２０９，Ｓ２１０）。その後、読み出された情報は、通信キャリアサーバ１０３に送信され（ステップＳ２１１）、ＳＩＭ＿ＩＤが通信キャリアサーバ１０３に登録されているか否か、照合要求を行う。すると、通信キャリアサーバ１０３では、すでに携帯電話の利用契約を済ませたユーザであるか否かを照合することができ、その結果を料金チャージ装置１０２に通知する（ステップＳ２１２，Ｓ２１３）。このとき、料金チャージ装置１０２では、ユーザ契約を確認できないユーザに対しては、通信料金チャージは行わない。【００８２】
そして、ＳＩＭ＿ＩＤが通信キャリアサーバ１０３に登録されている場合には、続いて、チャージする通信料金の入力を要求する画面が、料金チャージ装置１０２にて表示される（ステップＳ２２１）。これに対して、ユーザは、料金チャージ装置１０２のタッチパネル１２６から、通信料として事前に入金する金額を入力する（ステップＳ２２２）。すると、これを受けた料金チャージ装置１０２は、かかる金額データをＳＩＭカード１１１に書き込み（ステップＳ２２３）、当該ＳＩＭに記憶される（ステップＳ２２４）。その後、ＳＩＭカードから書き込み終了の応答を受けると（ステップＳ２２５）、料金チャージ装置１０２にはＳＩＭカード取出指示が表示され（ステップＳ２２６）、これを受けてユーザはＳＩＭカードを取り出す。なお、必要で有れば、入金すべく料金チャージ装置１０２に入力した額の現金を、当該料金チャージ装置１０２に投入する。【００８３】
その後、ユーザはＳＩＭカードを携帯電話１０１に装着し、通話やネットワーク通信などの通信サービスを利用する。その際に、自ら発信した場合には、通信料が課金されるため、ＳＩＭカードに記憶された通信料金データから、利用した通信時間、あるいは、通信データ量に応じた通信料金が減算され、当該通信料金データが更新される。このとき、通信料金の減算処理は、携帯電話１０１にて通話時間等を考慮して行われてもよく、通信キャリアにて算出され通知された通信料が後に携帯電話１０１にて減算されてもよい。【００８４】
このようにすることにより、携帯端末のメモリ媒体に、契約ユーザであるか否かを表すＳＩＭ＿ＩＤ（識別データ）が記憶されているか否かが認証され、一致している場合のみ事前に納める通信料の入金が可能となり、かかるデータがＳＩＭカードに記憶される。従って、その後、通信時に必要となるＳＩＭ＿ＩＤと通信料とが、ＳＩＭカードから読み出されて通信キャリアに送信され、通信が実現される。このように、メモリ媒体には、識別データと協働して作動する際に必要なデータである通信料データが確実に記憶されるため、その後、記録された通信料データを用いてユーザは通話や通信を行うことができる。なお、かかるデータの書込の際に、他人にメモリ媒体内のデータを操作されること無く、また、ユーザ自身がメモリ媒体内の識別データを不必要に操作してしまうことを抑制することができ、セキュリティを確保して自己の端末に必要なデータを確実に記憶させることができ、ユーザの利便性の向上を図ることができる。また、このような装置を用いることで、入力が困難である携帯端末に装備された操作部を操作することなく、容易にデータ入力を行うことができる。
【実施例５】
【００８５】
次に、本発明の第５の実施例を、図２６乃至図３０を参照して説明する。図２６乃至図２７は、本実施例の構成を示す説明図である。図２８乃至図３０は、本実施例の動作を示す図である。【００８６】
（構成）
本実施例では、上述同様に、ユーザの識別データが記憶されているメモリ媒体は、ＧＳＭ方式の携帯電話にて用いられるＳＩＭカードである。そしてこのＳＩＭカードはリードライトが接触型のメモリ媒体であるが、これとは別に、本実施例では、さらに非接触にてデータの読み書きが可能なＲＦＩＤタグ１２を用いる。このＲＦＩＤタグ１２は、図２６に示すように、粘着面を有し携帯電話１に貼付可能なＲＦＩＤ本体１２が内蔵された薄いシール１２ａにて構成されている。そして、このＲＦＩＤシール１２ａは、ＳＩＭカード１１を保護するカードホルダ１１ａに貼付されて備えられている。【００８７】
これに対応して、ポータルサイトデータ提供装置２には、カードホルダ１１ａに備えられたＲＦＩＤ１２に対してデータを読み書き可能なＲＦＩＤリーダライタ２２が構成されており、上述したＳＩＭカードに対してデータの読み書きを行うリーダライタ２２と一体的に構成されているか、あるいは、近接して備えられている。これにより、ポータルサイトデータ提供装置２は、上述したようにＳＩＭカード１１に対してデータの読み書きを行う際に当該ＳＩＭカード１１内のデータをコピーし、これをＲＦＩＤリーダライタ２２にて当該カードホルダ１１ａに備えられたＲＦＩＤシール１２ａに内蔵されたＲＦＩＤ本体１２に書き込む。【００８８】
そして、このＲＦＩＤシール１２ａは、上述したようにＳＩＭカード１１内のデータがコピーされた後に、図２７（ａ）に示すように、携帯電話１の裏面などにユーザにて貼付される。そして、これに対応して、実施例１に示したようなポータルサイトデータ提供装置２には、この非接触型メモリ媒体であるＲＦＩＤ１２に対してデータの読み書きを行うＲＦＩＤリーダライタ２２２が別途備えられており、例えば、図２７（ｂ）に示すように、携帯電話１を載置する凹部（２２２）内に設けられる。これにより、かかる凹部（２２２）に載置された携帯電話１に貼付されたＲＦＩＤ１２から種々のデータが読み出される。なお、上記符号２２２に示すＲＦＩＤリーダライタは、符号２２に示す上述したＳＩＭカードに対するカードリーダライタと共に備えられているＲＦＩＤリーダライタと同一のものでもよく、別個のものでもよい。【００８９】
そして、ポータルサイトデータ提供装置２では、ＲＦＩＤ１２が装着されている携帯電話１を認識すると、当該ＲＦＩＤ１２に記憶されているデータを読み出して、例えばＳＩＭ＿ＩＤが記憶されている場合には、これを読み出し、ポータル管理サーバ３に対して照合依頼を行う。そして、照合の結果、一致している場合には、上述したようにポータルサイトの構成の変更や、その他の処理ができるようログインを許可する。【００９０】
（動作）
次に、本実施例におけるシステムの動作、特に、ポータルサイトデータ提供装置２の動作を、図２８乃至図３０を参照して説明する。図２８は、ポータルサイトデータ提供装置２の動作を示すフローチャートである。図２９乃至図３０は、システム全体の動作を示すシーケンス図である。【００９１】
まず、ポータルサイト提供装置２は、ユーザがＳＩＭを新規に購入し、これに対して新たに自己のポータルサイトを作成するために、カードリーダライタ２２にＳＩＭカード１１（カードホルダ１１ａ）の挿入がされると（図２８のステップＳ３０１にて肯定判断、図２９のステップＳ４０１，Ｓ４０２）、当該ＳＩＭカード１１の認証を行う。具体的には、上述したように、ユーザ及びＳＩＭカードに対するピンコードの認証（図２９のステップＳ４０３〜Ｓ４０７）、及び、ＳＩＭカードに対するＳＩＭ＿ＩＤの認証を行う（図２９のステップＳ４０８〜Ｓ４１０）。このとき、認証処理は、ポータル管理サーバ３を用いて行われる（図２９のステップＳ４１１〜Ｓ４１２）。【００９２】
続いて、認証が成功すると、ポータルサイトデータ提供装置２では、ユーザからの入力に応じてポータルサイトの編集を行い（図２８のステップＳ３０３）、当該ポータルサイトにアクセス可能なアドレスデータ（ＵＲＬ）をカードリーダライタ２２にて挿入されているＳＩＭカード１１に書き込む（図２８にてステップＳ３０４）。【００９３】
続いて、カードリーダライタ２２にて、ＳＩＭカード１１内のＳＩＭ＿ＩＤや電話番号など、当該ＳＩＭに記憶されているデータを読み出して（図２９のステップＳ４１３、Ｓ４１４）、これをカードホルダ１１ａに備えられたＲＦＩＤ本体１２に書き込む（図２８のステップＳ３０５、図２９のステップＳ４１５、Ｓ４１６）。なお、このデータコピーは、上記ＵＲＬがＳＩＭカードに書き込まれる前、すなわち、ＳＩＭカードが挿入された直後に行われてもよい。【００９４】
その後、ユーザＵは、カードリーダライタ２２からＳＩＭカード１１が装着されたカードホルダ１１ａを取り出し（図３０にてステップＳ４２２）、このカードホルダ１１ａからＲＦＩＤシール１２ａを剥がして携帯電話１に張り付ける（図３０のステップＳ４２３、図２７（ａ）参照）。【００９５】
そして、ユーザは、以前に登録した自己のポータルサイトの編集（カスタマイズ）を行う際には、ポータルサイトデータ提供装置２のＲＦＩＤリーダライタ２２２（凹部）に携帯電話１をセットするし（図３０のステップＳ４２３、図２７（ｂ）参照）。これにより、ポータルサイトデータ提供装置２は携帯電話１に装着されたＲＦＩＤ本体１２と通信可能な状態となる（図２８のステップＳ３０１にて否定判断後、ステップＳ３０６で肯定判断）。【００９６】
その後は、ＲＦＩＤリーダライタ２２２にてＲＦＩＤ１２からＰＩＮコードとＳＩＭ＿ＩＤとの読み出しが行われ、ユーザの認証が携帯電話１に貼付されたＲＦＩＤ１２を通じて行われる（図２８のステップＳ３０７、図３０のステップＳ４２４〜Ｓ４３２）。【００９７】
こうして、ユーザの認証が成功すると、ユーザはポータルサイトデータ提供装置２に対してログインが可能となり（図３０のステップＳ４３３）、上述したようにポータルサイトの編集などが行われる。【００９８】
以上をまとめると、本実施例では、まず、識別データが記憶されたＳＩＭカードなどのメモリ媒体が携帯端末から取り出されて照合処理が行われる場合に、一度、照合処理を行うとメモリ媒体に記憶されている識別データ等を非接触にて読み出し可能なＲＦＩＤタグなどの非接触型メモリ媒体に記憶しておく。そして、この非接触メモリ媒体を、携帯端末の外面に貼付するなど外部から読み取り可能なよう装着しておくことで、後のアクセス時には当該非接触メモリ媒体から識別データ等を読み出すことができる。従って、ユーザ照合時にＳＩＭカードなどの媒体を毎回携帯端末から取り外すなどの不都合を抑制することができ、ユーザの利便性の向上を図ることができる。特に、ＳＩＭカード内のユーザ固有のデータをＲＦＩＤにコピーしてユーザ認証に用いることで、より精度の高いユーザ認証を行うことが可能となる。【００９９】
ここで、上記実施例では、ユーザがＳＩＭカード内のデータなどユーザを特定するデータがコピーされたＲＦＩＤを用いて、システムにログインして自己のポータルサイトの編集を行う場合を説明したが、ログイン後に行う処理は上記のものに限定されない。例えば、自己の携帯電話１の前払い式の通話料をチャージする際に、ＲＦＩＤを用いた認証によりログインしてもよい。【０１００】
また、上記ではＲＦＩＤ本体１２がＲＦＩＤシール１２ａに内蔵されていて、これを携帯電話１に装着される場合を例示したが、必ずしもこのような形態にてＲＦＩＤが携帯電話１に装着されることに限定されない。例えば、図２６（ｂ）に示すように、ＳＩＭカード１１自体にＲＦＩＤ本体１２を内蔵、あるいは、装着してもよい。このようにしても、かかるＳＩＭカード１１が装着された携帯電話１にはＳＩＭカード内のデータがコピーされたＲＦＩＤも装着されていることとなり、上述同様に当該携帯電話１から非接触にて識別データなどを読み出すことができ、ＳＩＭカードを取り出すなどの煩わしさを解消することができる。【０１０１】
さらに、上記実施例では、携帯電話１に貼付したＲＦＩＤ１２から当該ＲＦＩＤ１２に記憶されたデータをポータルサイトデータ提供装置２が読み出す場合を説明したが、当該ポータルサイトデータ提供装置２が携帯電話１に貼付された状態のＲＦＩＤ１２に対して所定のデータを記憶する機能を有していてもよい。かかる場合には、携帯電話１には、貼付されたＲＦＩＤ１２からデータを読み出す機能が備えられている。これにより、携帯電話１にＲＦＩＤ１２を貼付した後であっても、このＲＦＩＤに対してデータの読み書きができるため、ポータルサイトデータ提供装置２のＲＦＩＤリーダライタ２２２が備えられている凹部に携帯電話１を載置するのみで、希望のコンテンツを当該ポータルサイトデータ提供装置２を介してＲＦＩＤ１２に記憶させることが可能となる。そして、この取得したコンテンツを、携帯電話１がＲＦＩＤ１２から読み出して、使用することも可能となる。従って、上述同様に、携帯電話１に所定の設置装置からデータを取得する際に、当該携帯電話に内蔵されるメモリであるＳＩＭカードなどをその都度取り外す必要がなく、セキュリティの確保しつつ、ユーザの利便性の向上を図ることができる。
【産業上の利用可能性】
【０１０２】
本発明は、携帯端末のメモリ媒体に対して、ユーザ固有のポータルサイトにアクセス可能なＵＲＬや、プリペイド方式の携帯端末の通信を可能とする通信料金データなど、個々のユーザによって異なって使用されるデータをセキュリティを確保しつつ、記憶することができるため、ユーザの携帯端末の利便性の向上を図ることができ、産業上利用可能性を有する。
【図面の簡単な説明】
【０１０３】
【図１】本発明の構成を示す概略図である。
【図２】図２（ａ）は、ポータルサイトデータ提供装置の外観を示す図であり、図２ｂ）は、その構成を示す機能ブロック図である。
【図３】ポータル管理サーバの構成を示す機能ブロック図である。
【図４】ポータルサイトデータ提供装置の動作を示すフローチャートである。
【図５】ポータルサイトデータ提供装置による処理の一部であるポータル情報編集処理の動作を示すフローチャートである。
【図６】ポータル管理サーバの動作を示すフローチャートである。
【図７】ポータル管理サーバによる処理の一部であるポータルサイト配信処理の動作を示すフローチャートである。
【図８】システム全体の動作を示すシーケンス図である。
【図９】システム全体の動作を示すシーケンス図であり、図８の続きを示すものである。
【図１０】システム全体の動作を示すシーケンス図であり、図９の続きを示すものである。
【図１１】システム全体の動作を示すシーケンス図であり、図１０の続きを示すものである。
【図１２】図１２（ａ），（ｂ）は、ポータルサイトデータ提供装置に表示される画面の一例を示す図である。
【図１３】図１３（ａ），（ｂ）は、ポータルサイトデータ提供装置に表示される画面の一例を示す図である。
【図１４】図１４（ａ），（ｂ）は、ポータルサイトデータ提供装置に表示される画面の一例を示す図である。
【図１５】図１５（ａ），（ｂ）は、ポータルサイトデータ提供装置に表示される画面の一例を示す図である。
【図１６】ポータルサイトに組み込むことが可能なメニューの一覧を示す図である。
【図１７】図１７（ａ），（ｂ）は、ポータルサイトデータ提供装置に表示される画面の一例を示す図である。
【図１８】図１８（ａ），（ｂ）は、ポータルサイトデータ提供装置に表示される画面の一例を示す図である。
【図１９】図１９（ａ），（ｂ）は、ポータルサイトデータ提供装置に表示される画面の一例を示す図である。
【図２０】図２０（ａ），（ｂ）は、ポータルサイトデータ提供装置に表示される画面の一例を示す図である。
【図２１】図２１（ａ），（ｂ）は、実施例２におけるポータルサイトデータ提供装置の構成を示す概略図である。
【図２２】実施例４における発明の構成を示す概略図である。
【図２３】図２３（ａ）は、実施例４における料金チャージ装置の外観を示す図であり、図２３（ｂ）は、その構成を示す機能ブロック図である。
【図２４】実施例４におけるシステム全体の動作を示すシーケンス図である。
【図２５】実施例４におけるシステム全体の動作を示すシーケンス図であり、図２４の続きを示すものである。
【図２６】図２６（ａ），（ｂ）は、実施例５にて用いるメモリ媒体、非接触型メモリ媒体の構成を示す説明図である。
【図２７】図２７（ａ）〜（ｃ）は、実施例５における使用例を示す説明図である。
【図２８】実施例５におけるポータルサイトデータ提供装置２の動作を示すフローチャートである。
【図２９】実施例５におけるシステム全体の動作を示すシーケンス図である。
【図３０】実施例５におけるシステム全体の動作を示すシーケンス図であり、図２９の続きを示すものである。
【符号の説明】
【０１０４】
１  携帯電話（携帯端末）
２  ポータルサイトデータ提供装置（携帯端末メモリ用データ書込装置）
３  ポータル管理サーバ（携帯端末メモリ用データ書込装置）
１１  ＳＩＭカード（メモリ媒体）
３１  ポータル管理データベース（携帯端末メモリ用データ書込装置）
１０２  料金チャージ装置（携帯端末メモリ用データ書込装置）
１０３  通信キャリアサーバ（携帯端末メモリ用データ書込装置）
【図１】
0004678368.tif 000002
【図２】
0004678368.tif 000003
【図３】
0004678368.tif 000004
【図４】
0004678368.tif 000005
【図５】
0004678368.tif 000006
【図６】
0004678368.tif 000007
【図７】
0004678368.tif 000008
【図８】
0004678368.tif 000009
【図９】
0004678368.tif 000010
【図１０】
0004678368.tif 000011
【図１１】
0004678368.tif 000012
【図１２】
0004678368.tif 000013
【図１３】
0004678368.tif 000014
【図１４】
0004678368.tif 000015
【図１５】
0004678368.tif 000016
【図１６】
0004678368.tif 000017
【図１７】
0004678368.tif 000018
【図１８】
0004678368.tif 000019
【図１９】
0004678368.tif 000020
【図２０】
0004678368.tif 000021
【図２１】
0004678368.tif 000022
【図２２】
0004678368.tif 000023
【図２３】
0004678368.tif 000024
【図２４】
0004678368.tif 000025
【図２５】
0004678368.tif 000026
【図２６】
0004678368.tif 000027
【図２７】
0004678368.tif 000028
【図２８】
0004678368.tif 000029
【図２９】
0004678368.tif 000030
【図３０】
0004678368.tif 000031